(57)【要約】【課題】施工を容易とした雨水の貯留・排出システム及び盛替え施工方法を提供する。【解決手段】本発明は、廃棄物処分場における埋立区画１２の周縁を囲った状態に設置され、かつ互いに連通した状態で外部に連通する複数のＵ字形側溝ブロック１４と、埋立区画１２の上面全体を覆うとともに、端縁を側溝１４の立ち上げ縁部に沿って固定され、かつ周縁を気密に封止した遮水シート１８と、シート１８の内部に接続されたコンプレッサ３０とを備え、側溝ブロックで囲われた内部を雨水の一時貯留池としコンプレッサ駆動により、シート１８を膨張させて貯留水を側溝ブロック側に溢流させる。【選択図】    図２
2005161202.tif 000002
【特許請求の範囲】
【請求項１】
露天型廃棄物処分場における埋立区画の周縁を囲った状態に設置され、かつ互いに連通した状態で外部に連通する複数の側溝ブロックと、
前記埋立区画の上面全体を覆うとともに、端縁を前記側溝ブロックの立ち上げ縁部に沿って固定されかつ周縁を気密に封止した遮水シートと、
前記側溝ブロックで囲われた遮水シートに一時貯留された雨水を、該遮水シートを上昇させることにより前記側溝ブロック側に溢流させる上昇手段とを備えたことを特徴とする廃棄物処分場における雨水の貯留・排水システム。
【請求項２】
前記遮水シートは袋状のものであり、該遮水シートの袋状内部に接続されたエアコンプレッサ等の上昇手段を備え、該上昇手段を駆動することにより、前記遮水シートを膨張させて前記一時貯留された雨水を前記側溝ブロック側に溢流させることを特徴とする請求項１に記載の廃棄物処分場における雨水の貯留・排水システム。
【請求項３】
露天型廃棄物処分場における法面の頂部に一端固定された遮水シートを前記法面に沿って敷設し、その下端縁を法尻からやや離れた位置で埋立地盤上に設置され、かつ外部に連通する側溝ブロックの一側部立ち上げ端に沿って連結してなり、
前記遮水シートは前記法尻位置で気密な袋状部が形成され、この袋状部の内部をエアコンプレッサに接続可能としたことを特徴とする請求項１または２に記載の廃棄物処分場における雨水の貯留・排水システム。
【請求項４】
請求項１〜３のいずれかに記載の廃棄物処分場における雨水の貯留・排水システムを備え、
前記遮水シートを膨張させてここに溜められた水を前記側溝ブロック、排水ピットを通じて外部に排出し、前記遮水シート及び側溝ブロックを一時撤去した後、廃棄物の埋立て、覆土を行い、整地作業完了後、埋立区画の周囲に前記側溝ブロックを再配列した上で、前記遮水シートにより埋立区画の全面を覆い、その端縁を前記側溝ブロックの立ち上げ縁部に沿って固定することを特徴とする廃棄物処分場の盛替え施工方法。
【発明の詳細な説明】
【技術分野】
【０００１】
本発明は、廃棄物処分場における雨水の貯留・排水システム及び廃棄物処分場の盛替え施工方法に関し、特に露天型処分場において、降雨により埋立地盤内部に雨水が浸透することを防止する方法の改良に係るものである。
【背景技術】
【０００２】
クローズ型廃棄物処分場では、処分場用地の上部を天蓋で覆う構造であり、降雨による雨水の用地内浸透がなく、浸出水処理設備の負担が小さい反面、建設費が高価であり、広大な処分場には適合しにくい。また、水分や空気を内部供給することによる生物学的な分解処理を人工的な設備を用いて行わなければならず、維持費も高い。
【０００３】
これに対し、露天型廃棄物処分場は敷地面積が小さなものから広大なものまで各種対応でき、建設費が安価であり、露天であるため廃棄物の生物学的分解なども降雨などの自然現象をそのまま利用して行うことができる。
【０００４】
ところで、降雨そのものは自然現象であり、集中豪雨など一時的に大雨が降った場合に十分に管理できないばかりか、浸出水処理設備の負荷が一時的に大きなものとなる。
【０００５】
そこで、このような露天型廃棄物処分場においては、廃棄物内部に対する雨水の浸出を防止し、浸出水処理設備の負担を軽減する対策として、埋立区画の表面を遮水シートで覆うことが行われている。
【０００６】
また、埋立区画周縁には排水用側溝を掘削し、当該区画表面に降り注いだ雨水を側溝を通じて外部に放流する必要があることから、側溝掘削後、埋立区画表面に及び側溝上を遮水シートで覆い、風などであおられないように土嚢などの重しで固定している。
【０００７】
また埋立区画が平坦地である場合に、水がシート上に溜まってしまうため、排水溝側に向けて人工的な勾配を付加するためにシートの下面に複数の空気袋を配置し、シート上に雨水が滞留したら空気袋を膨張させ、遮水シートを持ち上げることで排水溝側に強制的に流入させる方法も開発されている（特許文献１）。
【０００８】
いずれの方法も安価に行うことができ、雨水の大部分は内部にしみこむことなく表面を伝って外部に流下するため、浸出水処理設備の負荷を軽減できる。
【特許文献１】特開平１１−５７６４４号公報
【発明の開示】
【発明が解決しようとする課題】
【０００９】
しかしながら、以上の方法では、埋立途中にある廃棄物処分場の表面を遮水シートで覆っている場合には一旦該当する区画の遮水シートをはがした後、埋立と覆土及び整地作業を行い、区画毎に排水用側溝を掘削した後、再度遮水シートで覆う作業を埋立完了まで繰り返す必要がある。
【００１０】
すなわち、埋立作業毎に排水用側溝の盛替え作業が必要となり、施工が面倒であり、側溝の面積分埋め立て面積が縮小されるものとなっていた。加えて、前述のごとく降雨は自然現象であるため、一時的多量の降雨だけでなく、干天が続く場合もあり、このような場合においても、自然現象を有効利用できないものとなる。
【００１１】
本発明は、以上の課題を解決するものであり、側溝の掘削作業がなく、盛替え毎の施工を容易とし、また遮水シート上に雨水を貯留し、これを有効活用できるようにした廃棄物処分場における雨水の貯留・排出方法及び廃棄物処分場の盛替え施工方法を提供するものである。
【課題を解決するための手段】
【００１２】
以上の目的を達成するため、本発明にかかる廃棄物処分場における雨水の貯留・排出方法は、露天型廃棄物処分場における埋立区画の周縁を囲った状態に設置され、かつ互いに連通した状態で外部に連通する複数の側溝ブロックと、前記埋立区画の上面全体を覆うとともに、端縁を前記側溝ブロックの立ち上げ縁部に沿って固定されかつ周縁を気密に封止した遮水シートと、前記側溝ブロックで囲われた遮水シートに一時貯留された雨水を、該遮水シートを上昇させることにより前記側溝ブロック側に溢流させる上昇手段とを備えたことを特徴とするものである。
【００１３】
また、本発明システムは、前記遮水シートは袋状のものであり、該遮水シートの袋状内部に接続されたエアコンプレッサ等の上昇手段を備え、該上昇手段を駆動することにより、前記遮水シートを膨張させて前記一時貯留された雨水を前記側溝ブロック側に溢流させるものとすることができる。
【００１４】
さらに、本発明システムは、露天型廃棄物処分場における法面の頂部に一端固定された遮水シートを前記法面に沿って敷設し、その下端縁を法尻からやや離れた位置で埋立地盤上に設置され、かつ外部に連通する側溝ブロックの一側部立ち上げ端に沿って連結してなり、前記遮水シートは前記法尻位置で気密な袋状部が形成され、この袋状部の内部をエアコンプレッサに接続可能とすることもできる。
【００１５】
一方、本発明による廃棄物の盛替え施工方法は、上記いずれかの廃棄物処分場における雨水の貯留・排水システムを備え、前記遮水シートを膨張させてここに溜められた水を前記側溝ブロック、排水ピットを通じて外部に排出し、前記遮水シート及び側溝ブロックを一時撤去した後、廃棄物の埋立て、覆土を行い、整地作業完了後、埋立区画の周囲に前記側溝ブロックを再配列した上で、前記遮水シートにより埋立区画の全面を覆い、その端縁を前記側溝ブロックの立ち上げ縁部に沿って固定することを特徴とする。
【発明の効果】
【００１６】
従って、本発明システムでは、埋立地盤や、これと法面との接触位置において、盛替え毎の側溝の掘削が不要で、施工が簡単となり、また側溝の面積分埋立面全体を有効利用できる。
【００１７】
また施工後の降雨により、一旦水が溜まれば、重しとして作用し、埋立地盤の圧密化を図ることができるとともに、その後干天が続いても一時貯留された水を他の埋立区画における灌水や散水用の水として有効活用できる。
【発明を実施するための最良の形態】
【００１８】
以下、本発明の好ましい実施の形態を添付図面を参照して説明する。図１〜３は本発明の第１実施形態を示す。図において、廃棄物処分場内におけるほぼ平坦かつ下流側に向けてやや傾斜する勾配とした埋め立て地盤１０は、ほぼ矩形状に形成された複数の埋立区画１２に分割され、各埋立区画１２の周囲を互いに連通するフランジ付きＵ字形の側溝ブロック１４で囲い、かつ側溝ブロック１４の下流側一端を排水ピット１６に連通させている。各埋立区画１２は、例えば一辺を７〜１５ｍ程度の範囲内で自由に設定可能であり、その上面全体を遮水シート１８で覆っている。
【００１９】
遮水シート１８はその周囲部を溶着により一体に接合することにより周囲を気密に封止した袋状シートである。また遮水シート１８の周囲は前記側溝ブロック１４の一側縁に沿って固定されている。
【００２０】
さらに、側溝ブロック１４の他側縁には連結シート２０の一端が連結され、この連結シート２０の他端に固定ブロック２２を設置することで、設置状態の側溝ブロック１４を安定に保持している。
【００２１】
側溝ブロック１４はプレキャストコンクリート製品であって、図３に示すようにその長手方向両端を継ぎ手部として互いに係合する凹凸１４ａ，１４ｂを形成し、この凹凸係合により一直線に連結できるようにしたものであり、その両側フランジ１４ｃに前記遮水シート１８または連結シート２０に設けた鳩目孔に挿通される連結用ボルト２４を突設し、このボルト２４にナット２６を締め付けることで、各シート１８，２０の固定を行うようになっている。
【００２２】
なお、一般部では図に示す直線的側溝ブロック１４同士を長手方向に連結するが、角部ではエルボ状をなした側溝ブロックを、隣り合う埋立区画１４の縦横の境界ではチーズ状に形成された側溝ブロックにより連結される。
【００２３】
遮水シート１８の一端にはその袋状内部に連通する空気供給口１８ａが形成され、この供給口１８ａにはホース２８を介してエアコンプレッサ３０（上昇手段）に接続可能となっている。
【００２４】
以上において、図２（ａ）に示す遮水シート１８の敷設後、降雨があると（ｂ）に示すように、遮水シート１８の上面に雨水が滞留し、最大水深を側溝ブロック１４の高さとした一時貯留池が形成される。水が側溝ブロック１４以上の高さを超えると溢流して側溝ブロック１４内をその勾配方向に流れ、最終的に排水ピット１６に集積し、この排水ピット１６を通じて外部に放流される。
【００２５】
なお、各側溝ブロック１４の継ぎ手部同士は単に凹凸係合により連結されているだけであり、十分な止水性はないが、この継ぎ手部より多少の水が漏れて地盤１０内に浸透してもその量は過小であるため問題はない。
【００２６】
このようにして溜められた水の水圧により、遮水シート１８は強固に固定され、風などによるバタ付きが防止されるとともに、埋め立て地１０内の圧密化がなされる。  
また、このようにして溜められた水は地盤が露出した他の埋立区画に対する灌水や粉塵防止用の散水用水などとして有効活用できる。
【００２７】
次に、以上の埋立区画１２の上部にさらに廃棄物を埋め立てる場合には、前記ホース２８を供給口１８ａに接続し、エアコンプレッサ３０を駆動すれば、圧縮空気が遮水シート１８の袋状内部に供給される結果、遮水シート１８は順次膨張し、図２（ｃ）に示すようにその上面に溜められた残余の水は順次溢流して側溝ブロック１４、排水ピット１６を通じて外部に放流される。  
その後は、遮水シート１８、連結シート２０を側溝ブロック１４からはずし、これらを固定ブロック２２とともに、一時撤去すれば、その埋立区画１２の埋立地盤１０が露出する。
【００２８】
埋立地盤１０は所定厚みの廃棄物層と、その上面を覆う約３０〜５０cm厚みの覆土層とからなるものであり、図２（ｄ）に示すように、廃棄物の撒きだしと整地の後覆土の撒きだしと転圧、整地により、埋立地盤１０の盛替え作業が完了する。  
その後、再度該当埋立区画１２の周囲を前記側溝ブロック１４で囲い、遮水シート１８で上面を覆えば、再び図１及び図２（ａ）のごとく表面を覆うことができる。
【００２９】
次に本発明を法面に適用した第２実施形態を説明する。なお、前記実施形態と同一箇所には同一符号を用いて説明する。
【００３０】
周知のごとく、露天型廃棄物処分場は自然地形を利用したり、地盤の掘削や盛土を行って造成された凹状の地盤内部に廃棄物を埋め立てるものであり、従って法面３２を伝って流下する雨水が埋立地盤１０の内部に浸出することを防止する必要がある。
【００３１】
本実施形態では、一端を法面３２の頂部に固定ブロック２２を介して固定された遮水シート１８を法面３２に沿って敷設し、その下端縁を法尻からやや離れた位置で埋立地盤１０上に設置された側溝ブロック１４の立ち上げ端一側縁に沿ってに連結している。
【００３２】
遮水シート１８は法尻位置で溶着により袋状部１８ｂが形成されこの袋状部１８ｂの内部は図示しないホースを介してエアコンプレッサに接続されるようになっている。
【００３３】
以上において、遮水シート１８の敷設後（ａ）に示すように、降雨により法面を伝って流れた水は、平坦化された袋状部１８ｂの上面に溜まり、余剰水は溢流して側溝ブロック１４を伝って外部に放流される。従って、溜められた水による重し効果によって遮水シート１８を固定し、風によるバタ付きを防止できるほか、灌水、あるいは散水などの用水として有効利用できる 。なお、図示はしないが、遮水シート１８の下流側は閉鎖手段により閉じられるようになっており、前記第１実施形態と同様にこの部分を一時貯留池として機能させることができる。
【００３４】
この状態から盛替えを行う場合には、エアコンプレッサの駆動により（ｂ）に示すように、袋状部１８ａを膨張させることで、状部に溜まった残余の水は側溝ブロック１４側に溢流し、排出される。その後、側溝ブロック１４を一時撤去し、遮水シート１８の下端を巻き上げれば、法尻に接した位置が廃棄物の投棄可能な状態となる。
【００３５】
なお、上述した実施形態では、遮水シートを袋状のものとしてその内部にエアを供給することにより遮水シートを膨張する構成としたが、遮水シートの下方に他の膨張可能なバルーンを配置し、当該バルーンにエアコンプレッサからエアを供給することにより間接的に遮水シートを上昇させて一時貯留した雨水を溢流させることもできる。
【図面の簡単な説明】
【００３６】
【図１】本発明方法が適用される埋立区画を示す平面説明図である。
【図２】（ａ）〜（ｄ）は図１Ａ−Ａ断面における貯留・排水及び盛替え手順を示す断面説明図である。
【図３】本発明に用いる側溝ブロックを示す斜視図である。
【図４】（ａ），（ｂ）は本発明の第２実施形態を示す説明用断面斜視図である。
【符号の説明】
【００３７】
１０  埋立地盤
１２  埋立区画
１４  側溝ブロック
１８  遮水シート
１８ａ  袋状部
３０  エアコンプレッサ（上昇手段）
３２  法面
【図１】
2005161202.tif 000003
【図２】
2005161202.tif 000004
【図３】
2005161202.tif 000005
【図４】
2005161202.tif 000006